(57)【要約】【課題】外部圧接電極体と半導体基体との間に形成された空間に異物が混入することを防止しつつ、コーティング体の剥がれを防止することができる圧接型半導体装置を提供する。【解決手段】半導体基体１の主面の一面及び外部圧接電極体の互いの対向面を半導体基体１の外側から囲むように外部圧接電極体の外周面とコーティング体５との間にまたがって配置され、変形することによりコーティング体５にかかる荷重がコーティング体５を半導体基体１から剥がすのに要する荷重以下となる状態を維持した密閉体２５を備えた。【選択図】図３
2011233704.tif 000002
【特許請求の範囲】
【請求項１】
主面の一面に圧接電極が形成された半導体基体と、
前記半導体基体の外縁部を縁取ったコーティング体と、
前記圧接電極に接触した外部圧接電極体と、
前記主面の一面及び前記外部圧接電極体の互いの対向面を前記半導体基体の外側から囲むように前記外部圧接電極体の外周面と前記コーティング体との間にまたがって配置され、変形することにより前記コーティング体にかかる荷重が前記コーティング体を前記半導体基体から剥がすのに要する荷重よりも小さくなる状態を維持した密閉体と、
を備えたことを特徴とする圧接型半導体装置。
【請求項２】
前記密閉体は、前記コーティング体側端部を前記コーティング体の外周面よりも前記半導体基体の中心側で前記コーティング体の前記外部圧接電極体側に接触させた状態で、前記コーティング体側と前記外部圧接電極体側との間の中央部を撓ませていることを特徴とする請求項１記載の圧接型半導体装置。
【請求項３】
前記密閉体の厚みを０．５ｍｍ〜２．０ｍｍとしたことを特徴とする請求項１又は請求項２に記載の圧接型半導体装置。
【請求項４】
前記コーティング体と前記密閉体とは、シリコーンゴムで形成されたことを特徴とする請求項１〜請求項３のいずれかに記載の圧接型半導体装置。
【請求項５】
前記外部圧接電極体は、外周面に溝が形成され、
前記密閉体は、前記外部圧接電極体側が前記溝に嵌め込まれた状態で変形していることを特徴とする請求項１〜請求項４のいずれかに記載の圧接型半導体装置。
【請求項６】
前記圧接電極とは異なる位置で前記主面の一面に形成されたゲート電極と、
前記ゲート電極に接触した外部ゲート電極と、
前記外部ゲート電極を前記ゲート電極に押し付けている弾性体と、
を備え、
前記外部圧接電極体は、前記圧接電極とは反対方向の荷重を前記弾性体から受けていることを特徴とする請求項１〜請求項５のいずれかに記載の圧接型半導体装置。
【請求項７】
前記圧接電極は、カソード電極からなり、
前記外部圧接電極体は、
外部カソード電極と、
前記外部カソード電極と前記カソード電極との間に設けられ、前記外部カソード電極と前記カソード電極とに接触した状態で、前記外部ゲート電極を支持したカソード歪緩衝板と、
を備えたことを特徴とする請求項６記載の圧接型半導体装置。
【発明の詳細な説明】
【技術分野】
【０００１】
この発明は、ＧＴＯ（Ｇａｔｅ  Ｔｕｒｎ  Ｏｆｆ）サイリスタやＧＣＴ（Ｇａｔｅ  Ｃｏｍｍｕｔａｔｅｄ  Ｔｕｒｎ−ｏｆｆ）サイリスタ等の圧接型半導体装置に関するものである。
【背景技術】
【０００２】
図４は従来のセンターゲートタイプの圧接型半導体装置の圧接前の状態を示す縦断面図である。図４において、１は半導体基体である。この半導体基体１の主面の一方には、圧接電極として、アノード電極２が形成される。一方、半導体基体１の主面の他方には、圧接電極として、ゲート電極３と複数のカソード電極４とが形成される。また、半導体基体１の外縁部の全体を縁取るように、環状のコーティング体５が設けられる。
【０００３】
半導体基体１の主面の一方側には、アノード電極２に接触する外部アノード電極体６が設けられる。一方、半導体基体１の主面の他方側には、ゲート電極３に接触する外部ゲート電極体１１が設けられる。さらに、カソード電極４に接触する外部カソード電極体１９が設けられる。
【０００４】
このように構成されたセンターゲートタイプの圧接型半導体装置においては、外部カソード電極体１９と半導体基体１との間に空間２４が形成される。このため、異物が半導体基体１の外側から空間２４側に移動した状態で、外部カソード電極体１９とカソード電極４とが圧接されることがある。
【０００５】
ところで、センターゲートタイプ以外の圧接型半導体装置として、ガイドリングを有するものが提案されている。このガイドリングの内周面の一側は、外部カソード電極体の外周面が密着している。一方、ガイドリングの内周面の他側は、コーティング体の外周面に密着している。そして、圧接時に、ガイドリングの内周面の他側がコーティング体の外周面を案内する。この案内により、外部カソード電極体と半導体基体とが位置決めされる（例えば、特許文献１及び２参照）。
【先行技術文献】
【特許文献】
【０００６】
【特許文献１】特開昭６２−１０９３２７号公報
【特許文献２】特開平４−１１２５７８号公報
【０００７】
このガイドリングを従来のセンターゲートタイプの圧接型半導体装置に適用すると、圧接前においても、ガイドリングによって外部カソード電極体１９と半導体基体１との間の空間２４を密閉する。このため、半導体基体１の外側から空間２４側に異物が移動することを防止できる。
【０００８】
ここで、図５及び図６を用いて、センターゲートタイプの圧接型半導体装置にガイドリングを適用した場合を説明する。図５はガイドリングを有する圧接型半導体装置の圧接後の状態を示す縦断面図である。図６は図５のＢ部詳細図である。上述したように、ガイドリング２８は、外部カソード電極体１９と半導体基体１とを位置決めするものである。このため、コーティング体５には、半導体基体１の中心方向へ締め付ける応力がかかる。この状態で、外部カソード電極体１９を圧接すると、図５に示すように、ガイドリング２８は、外部カソード電極体１９の移動に追従する。そして、コーティング体５の外周部は、ガイドリング２８の移動に追従しようとする。
【発明の概要】
【発明が解決しようとする課題】
【０００９】
しかしながら、コーティング体５の内周部は半導体基体１との密着を維持しようとする。そして、さらに、外部カソード電極体１９が圧接方向に押し込まれると、図６に示すように、コーティング体５の内周部が半導体基体１から剥がれてしまうという問題があった。
【００１０】
この発明は、上述のような課題を解決するためになされたもので、その目的は、外部圧接電極体と半導体基体との間に形成された空間に異物が混入することを防止しつつ、コーティング体の剥がれを防止することができる圧接型半導体装置を提供することである。
【課題を解決するための手段】
【００１１】
この発明に係る圧接型半導体装置は、主面の一面に圧接電極が形成された半導体基体と、前記半導体基体の外縁部を縁取ったコーティング体と、前記圧接電極に接触した外部圧接電極体と、前記主面の一面及び前記外部圧接電極体の互いの対向面を前記半導体基体の外側から囲むように前記外部圧接電極体の外周面と前記コーティング体との間にまたがって配置され、変形することにより前記コーティング体にかかる荷重が前記コーティング体を前記半導体基体から剥がすのに要する荷重よりも小さくなる状態を維持した密閉体と、を備えたものである。
【発明の効果】
【００１２】
この発明によれば、外部圧接電極体と半導体基体との間に形成された空間に異物が混入することを防止しつつ、コーティング体の剥がれを防止することができる。
【図面の簡単な説明】
【００１３】
【図１】この発明の実施の形態１における圧接型半導体装置の圧接前の状態を示す縦断面図である。
【図２】図１のＡ部詳細図である。
【図３】この発明の実施の形態１における圧接型半導体装置の圧接後の状態を示す縦断面図である。
【図４】従来のセンターゲートタイプの圧接型半導体装置の圧接前の状態を示す縦断面図である。
【図５】ガイドリングを有する圧接型半導体装置の圧接後の状態を示す縦断面図である。
【図６】図５のＢ部詳細図である。
【発明を実施するための形態】
【００１４】
この発明を実施するための形態について添付の図面に従って説明する。なお、各図中、同一又は相当する部分には同一の符号を付しており、その重複説明は適宜に簡略化ないし省略する。
【００１５】
実施の形態１．
図１はこの発明の実施の形態１における圧接型半導体装置の圧接前の状態を示す縦断面図である。
図１には、仮組みされたセンターゲートタイプの圧接型半導体装置の一例として、ＧＴＯ（Ｇａｔｅ  Ｔｕｒｎ  Ｏｆｆ）サイリスタが示される。この圧接型半導体装置は、電力用として、ＢＴＢ（電力系統連携装置）、ＳＶＧ（無効電力発生装置）等に適用される。また、圧接型半導体装置は、工業用として、製鉄圧延機駆動用インバータ等に適用される。さらに、圧接型半導体装置は、その他高電圧・大容量スイッチ等に適用される。以下、本実施の形態の圧接型半導体装置について説明する。
【００１６】
図１において、１は半導体基体である。この半導体基体１は、ＰＮ接合によって形成される。この半導体基体１の主面の一方には、圧接電極として、アノード電極２が形成される。図１においては、半導体基体１の下面にアノード電極２が形成される。このアノード電極２の表面には、金属膜が施される。
【００１７】
一方、半導体基体１の主面の他方には、圧接電極として、ゲート電極３と複数のカソード電極４とが形成される。図１においては、半導体基体１の上面の中央に、ゲート電極３が形成される。このゲート電極３の表面には、金属膜が施される。また、図１においては、半導体基体１の上面で、ゲート電極３を囲むように、複数のカソード電極４が形成される。これらのカソード電極４は、ゲート電極３よりも０．５ｍｍ程度上方に突出している。これらのカソード電極４の表面には、金属膜が施される。
【００１８】
また、半導体基体１の外縁部の全体を縁取るように、環状のコーティング体５が設けられる。このコーティング体５は、絶縁性を有した樹脂やゴムでモールド成形される。このコーティング体５は、圧接工程後の熱処理工程の設定温度で加熱された場合であってもガスの発生を抑制する材料で形成される。具体的には、コーティング体５は、シリコーンゴムで形成される。
【００１９】
また、半導体基体１の主面の一方側には、アノード電極２に対向して、外部アノード電極体６が設けられる。この外部アノード電極体６は、アノード電極２に接触させるための外部圧接電極体である。この外部アノード電極体６は、外部アノード電極７、フランジ８、ピン９、アノード歪緩衝板１０からなる。
【００２０】
外部アノード電極７は、銅で形成される。この外部アノード電極７の外周面下部には、フランジ部が形成される。このフランジ部は、外部アノード電極７外周面よりも外側に突出する。このフランジ部の上面には、フランジ８が固着される。また、外部アノード電極７上面中央には、溝が形成される。この溝には、ピン９の下部が嵌め込まれる。
【００２１】
外部アノード電極７の上方には、アノード歪緩衝板１０が配置される。このアノード歪緩衝板１０は、モリブデンで形成される。このアノード歪緩衝板１０の下面中央には、溝が形成される。この溝には、ピン９の上部が嵌め込まれる。これにより、外部アノード電極７とアノード歪緩衝板１０とが位置決めされる。また、アノード歪緩衝板１０の外周面上部は、コーティング体５の内周面の内側に配置される。これにより、アノード歪緩衝板１０と半導体基体１とが位置決めされる。
【００２２】
一方、半導体基体１の主面の他方側には、ゲート電極３に対向して、外部ゲート電極体１１が設けられる。この外部ゲート電極体１１は、ゲート電極３に接触させるための外部圧接電極体である。この外部ゲート電極体１１は、外部ゲート電極１２、ゲートリード線１３、ゲートスリーブ１４、ゲートパイプ１５からなる。
【００２３】
外部ゲート電極１２は、ゲート電極３に対向して設けられる。この外部ゲート電極１２は、銅で形成される。この外部ゲート電極１２の外周面上部の一側には、ゲートリード線１３が接続される。このゲートリード線１３は、ゲートスリーブ１４内、ゲートパイプ１５内に収納される。
【００２４】
ここで、外部ゲート電極１２は、支持管１６に支持される。そして、外部ゲート電極１２の上面には、マイカワッシャ１７が配置される。このマイカワッシャ１７の上面には、弾性体１８が配置される。
【００２５】
さらに、半導体基体１の主面の他方側には、カソード電極４に対向して、外部カソード電極体１９が設けられる。この外部カソード電極体１９は、カソード電極４に接触させるための外部圧接電極体である。この外部カソード電極体１９は、外部カソード電極２０、フランジ２１、カソード歪緩衝板２２からなる。
【００２６】
外部カソード電極２０は、銅で形成される。この外部カソード電極２０の上部には、フランジ部が形成される。このフランジ部は、外部カソード電極２０外周面より外側に突出する。このフランジ部の上面には、フランジ２１が固着される。このフランジ２１の外周部は、下方に傾斜するように折り曲げられる。そして、外部カソード電極２０の下方には、カソード歪緩衝板２２が配置される。このカソード歪緩衝板２２は、モリブデンで形成される。
【００２７】
ここで、外部カソード電極２０の下面には、切り欠き部が形成される。この切り欠き部は、外部カソード電極２０の外周面の一側から中心に向かって形成される。また、カソード歪緩衝板２２の中心には、貫通穴が形成される。そして、外部カソード電極２０の切り欠き部とカソード歪緩衝板２２の貫通穴によって、支持管１６が支持される。また、マイカワッシャ１７上面と外部カソード電極２０の切り欠き部の底面との間で、弾性体１８が保持される。
【００２８】
そして、半導体基体１、コーティング体５、外部アノード電極体６、外部ゲート電極体１１、支持管１６、マイカワッシャ１７、弾性体１８、外部カソード電極体１９は、絶縁筒２３に収納される。この絶縁筒２３の内径は、コーティング体５の外径よりも僅かに大きい。この絶縁筒２３の下部は、フランジ８上面に配置される。これにより、絶縁筒２３の下部は、外部アノード電極体６に塞がれる。一方、絶縁筒２３の上部には、フランジ２１が配置される。これにより、絶縁筒２３の上部は、外部カソード電極体１９に塞がれる。すなわち、絶縁筒２３は密閉される。
【００２９】
なお、絶縁筒２３の側面の一側には、貫通穴が形成される。この貫通穴に、ゲートパイプ１５が保持される。これにより、ゲートパイプ１５内に収納されたゲートリード線１３は、絶縁筒２３外部へ引き出される。
【００３０】
このとき、ゲート電極３と外部ゲート電極１２との間には、僅かな空間が形成される。そして、カソード電極４とカソード歪緩衝板２２との間には、ゲート電極３と外部ゲート電極１２との間の空間よりも高さのある空間が形成される。具体的には、カソード電極４とカソード歪緩衝板２２との間は、鉛直方向に１．５ｍｍ程度の空間が形成される。ここで、カソード電極の高さは、０．５ｍｍ程度である。従って、外部カソード電極２０と半導体基体１の主面の他方との間は、鉛直方向に２．０ｍｍ程度の空間２４が形成される。
【００３１】
本実施の形態においては、環状の密閉体２５が設けられる。この密閉体２５は、縦断面略Ｌ字となるゴムリングからなる。この密閉体２５は、コーティング体５と同一材料で形成される。すなわち、密閉体２５は、シリコーンゴムで形成される。この密閉体２５は、絶縁筒２３の内側で空間２４を囲むように、外部カソード電極２０の外周面とコーティング体５の双方に密着する。
【００３２】
具体的には、密閉体２５の外部カソード電極２０側端部の全周が、外部カソード電極２０の外周面に密着する。一方、密閉体２５のコーティング体５側端部の全周が、コーティング体５の外周面よりも半導体基体１の中心側でコーティング体５の外部カソード電極２０側の水平面に密着する。すなわち、密閉体２５のコーティング体５側端部の全周は、コーティング体５の半導体基体１の主面の他方と平行な面に密着する。これらの密着により、密閉体２５は、カソード電極４とカソード歪緩衝板２２の間に形成された空間２４を絶縁筒２３の内側において密閉する。
【００３３】
なお、密閉体２５の一側には、貫通穴２６が形成される。この貫通穴２６の内径は、ゲートスリーブ１４の外径と略同等に形成される。この貫通穴２６の下方には、切り込み部（図示せず）が形成される。この切り込み部は、密閉体２５の下縁部まで繋がっている。密閉体２５に荷重がかかっていない場合、この切り込み部の両側は互いに密着する。
【００３４】
密閉体２５の切り込み部の下方からゲートスリーブ１４の一部を挿入すれば、ゲートスリーブ１４の一部を密閉体２５の貫通穴２６まで移動させることができる。このとき、ゲートスリーブ１４の一部の外周面と密閉体２５の貫通穴２６の内周面とは密着する。また、ゲートスリーブ１４の一部が密閉体２５の貫通穴２６に到達すれば、切り込み部の両側も密着状態を回復する。このため、密閉体２５に貫通穴２６や切り込み部があっても、空間２４は、絶縁筒２３内側において密閉される。
【００３５】
ここで、密閉体２５は、下方から押し込まれたときに変形するように形成される。具体的には、密閉体２５のコーティング体５側と外部カソード電極２０側との間の中央部が外側へ撓むように形成される。この撓みは、密閉体２５を押し込んだ対象に対し下方への荷重を与えることになる。本実施の形態においては、この撓みの復元力が所定値よりも小さくなるように設定される。
【００３６】
具体的には、所定値は、コーティング体５を半導体基体１から剥がすのに要する荷重よりも小さくなるように設定される。このためには、密閉体２５の外周部を極力薄くすることが好ましい。具体的には、密閉体２５の厚みを０．５ｍｍ〜２．０ｍｍとすることが好ましい。
【００３７】
なお、図１においては、密閉体２５はほとんど変形していない。このため、密閉体２５からコーティング体５が受ける荷重もほとんどない。従って、コーティング体５には、コーティング体５を半導体基体１から剥がすのに要する荷重はかかっていない。
【００３８】
次に、図２を用いて、密閉体２５の取り付け方法を説明する。
図２は図１のＡ部詳細図である。
図２に示すように、外部カソード電極２０の外周面には、水平方向に延びる溝２７が形成される。この溝２７は、外部カソード電極２０の外周面よりも引っ込んだ段差となる。この段差への密閉体２５の嵌め込みは、次のように行われる。
【００３９】
すなわち、外部カソード電極２０を単体で密閉体２５の上方から下方へ押し込む。この押し込みによって、密閉体２５の外部カソード電極２０側端部は外側に広がるように弾性変形する。この弾性変形により、密閉体２５の外部カソード電極２０側端部は外部カソード電極２０の外周面に密着する。そして、さらに、外部カソード電極２０を密閉体２５の下方へ押し込むと、密閉体２５の外部カソード電極２０側端部は溝２７に嵌め込まれる。
【００４０】
この嵌め込みにより、密閉体２５の外部カソード電極２０側端部は、鉛直方向及び垂直方向の移動を抑制される。この抑制により、密閉体２５は、絶縁筒２３の内周面側から空間２４を遮蔽する位置に確実に配置される。
【００４１】
上記のように仮組みされた圧接型半導体装置は、圧接装置に運搬される。このとき、絶縁筒２３内の大気に異物が含まれていることもある。そして、運搬中の振動等により、絶縁筒２３内周面近傍の異物が、半導体基体１の外縁部外側から空間２４側に移動しようとすることがある。
【００４２】
しかしながら、本実施の形態においては、密閉体２５が、絶縁筒２３内側において空間２４を密閉している。このため、空間２４側に移動しようとする異物は、空間２４への移動を阻止される。すなわち、本実施の形態においては、絶縁筒２３の内周面近傍の異物が、空間２４に混入することがないようになっている。
【００４３】
次に、図３を用いて、本実施の形態の圧接型半導体装置の圧接工程を説明する。
図３はこの発明の実施の形態１における圧接型半導体装置の圧接後の状態を示す縦断面図である。
【００４４】
まず、フランジ８と絶縁筒２３の下部とが固着される。その後、外部アノード電極７と外部カソード電極２０とが外部から圧接される。具体的には、外部アノード電極７が支持される。この状態で、外部カソード電極２０がカソード電極４とは反対方向の荷重を弾性体１８から受けながら下方に押し込まれる。この押し込みにより、弾性体１８が圧縮する。この弾性体１８の復元力により、外部ゲート電極１２がゲート電極３に押し付けられる。
【００４５】
この押し付けにより、半導体基体１が下方へ押し込まれる。この押し込みにより、アノード電極２がアノード歪緩衝板１０に押し付けられる。この押し付けにより、アノード歪緩衝板１０が外部アノード電極７に押し付けられる。
【００４６】
このとき、外部カソード電極２０によってカソード歪緩衝板２２も下方に押し込まれる。しかしながら、圧接前においては、カソード電極４とカソード歪緩衝板２２との間には、ゲート電極３と外部ゲート電極１２との間の空間よりも高さのある空間が形成されていた。従って、外部ゲート電極１２とゲート電極３とが接触した瞬間では、カソード電極４とカソード歪緩衝板２２との間には、空間２４が維持される。
【００４７】
その後、さらに、外部カソード電極２０がカソード電極４とは反対方向の荷重を弾性体１８から受けながら下方へ押し込まれる。この押し込みにより、カソード歪緩衝板２２が下方へ押し込まれる。この押し込みにより、カソード歪緩衝板２２がコーティング体５の内周面に案内されながら下方へ移動する。その後、カソード歪緩衝板２２がカソード電極４に押し付けられる。すなわち、カソード歪緩衝板２２とカソード電極４とは、位置決めされた状態で接触する。
【００４８】
そして、カソード歪緩衝板２２とカソード電極４とが接触するまで、外部カソード電極２０が下方へ押し込まれると、フランジ２１の外周部の折り曲げ部が水平になる。この状態で、フランジ２１が絶縁筒２３の上部に固着される。
【００４９】
上記圧接工程後は、半導体基体１の主面の一方側で、アノード電極２とアノード歪緩衝板１０との接触が維持される。また、アノード歪緩衝板１０と外部アノード電極７との接触も維持される。一方、半導体基体１の主面の他方側で、ゲート電極３と外部ゲート電極１２との接触が維持される。また、カソード電極４とカソード歪緩衝板２２との接触が維持される。さらに、カソード歪緩衝板２２と外部カソード電極２０の接触も維持される。
【００５０】
本実施の形態の圧接型半導体装置においては、外部カソード電極２０が下方に押し込まれる際に、密閉体２５の外部カソード電極２０側端部が外部カソード電極２０とともに下方に移動する。この移動に追従して、密閉体２５のコーティング体５側端部も下方に移動しようとする。
【００５１】
しかしながら、密閉体２５のコーティング体５側端部の下方には、コーティング体５が配置されている。このコーティング体５により、密閉体２５のコーティング体５側端部は、下方への移動を阻止される。その結果、密閉体２５の中央部が絶縁筒２３の内周面側に撓む。
【００５２】
このとき、密閉体２５の撓みの復元力により、コーティング体５に下向きの荷重がかかる。この荷重により、コーティング体５には、半導体基体１から剥がれる方向の応力がかかる。ここで、密閉体２５の中心軸が半導体基体１の中心軸よりも一側にずれる場合がある。この場合、密閉体２５の一側は、コーティング体５水平面の外周部側を下方に押し込む。一方、密閉体２５の他側は、コーティング体５水平面の内周部側を下方に押し込む。
【００５３】
このため、コーティング体５の一側を下方へ押し込む位置と近傍の半導体基体１の外縁部との距離は、コーティング体５の他側を下方へ押し込む位置と近傍の半導体基体１の外縁部との距離よりも長くなる。従って、密閉体２５の撓みの復元力がコーティング体５の両側で同等の場合には、コーティング体５の他側にかかるモーメントよりも一側にかかるモーメントの方が大きくなる。
【００５４】
しかしながら、密閉体２５の撓みの復元力は、コーティング体５にかかる荷重がコーティング体５を半導体基体１から剥がすのに要する荷重よりも小さくなるように設定されている。このため、密閉体２５がコーティング体５のどこを下方へ押し込んだとしても、コーティング体５が半導体基体１から剥がれることはない。
【００５５】
以上で説明した実施の形態１によれば、圧接前の密閉体２５は、コーティング体５にかかる荷重がコーティング体５を半導体基体１から剥がすのに要する荷重よりも小さくなる状態で、空間２４を半導体基体１の外側から囲んでいる。このため、絶縁筒２３内周面近傍の異物が空間２４に混入することがない。また、コーティング体５が半導体基体１から剥がれることを防止できる。
【００５６】
また、圧接後の密閉体２５は、変形することによって、コーティング体５にかかる荷重がコーティング体５を半導体基体１から剥がすのに要する荷重よりも小さくなる状態を維持する。すなわち、従来のガイドリング２８を利用する場合よりも、コーティング体５にかかる応力を緩和することができる。このため、圧接後においても、コーティング体５が半導体基体１から剥がれることを防止できる。すなわち、高信頼性の圧接型半導体装置を得ることができる。つまり、不良となる圧接型半導体装置の数を低減することができる。その結果、圧接型半導体装置のコストを低減することができる。
【００５７】
しかも、密閉体２５以外は、従来の圧接型半導体装置と同様である。従って、安価な構成で、外部カソード電極体１９と半導体基体１との間に形成された空間２４に、絶縁筒２３内周面側の異物が混入することを防止しつつ、コーティング体５の剥がれを防止することができる。
【００５８】
なお、密閉体２５がコーティング体５のどこを下方へ押し込んだとしても、コーティング体５が半導体基体１から剥がれることはない。このため、密閉体２５の中心軸と半導体基体１の中心軸とがずれていても、コーティング体５が半導体基体１から剥がれることを防止できる。
【００５９】
また、圧接前においては、密閉体２５のコーティング体５側端部は、コーティング体５の外周面よりも半導体基体１の中心側でコーティング体５の外部カソード電極２０側に接触している。そして、圧接後においては、密閉体２５は、コーティング体５側端部をコーティング体５の外部カソード電極２０側に接触させた状態で、中央部を撓ませている。このため、従来のガイドリング２８を利用する場合よりも、圧接型半導体装置の外径を小さくすることができる。
【００６０】
さらに、密閉体２５の厚みは、０．５ｍｍ〜２．０ｍｍとなっている。すなわち、密閉体２５の外周部の厚みを適切に設定するだけで、コーティング体５にかかる応力を緩和し、コーティング体５が半導体基体１から剥がれることを防止できる。
【００６１】
なお、コーティング体５の外周面と絶縁筒２３の内周面との間に形成された空間の幅寸法よりも密閉体２５の厚み寸法を大きくするとよい。この場合、コーティング体５の外周面と絶縁筒２３の内周面との間に形成された空間に密閉体２５が食い込むことを防止できる。これにより、コーティング体５にかかる荷重がコーティング体５を半導体基体１から剥がすのに要する荷重以上となることを確実に防止することができる。例えば、コーティング体５の外周面と絶縁筒２３の内周面との間に形成された空間の幅寸法が０．５ｍｍの場合は、密閉体２５の厚み寸法を１．０ｍｍ〜２．０ｍｍとすればよい。
【００６２】
加えて、密閉体２５は、コーティング体５とともに、シリコーンゴムで形成される。このため、熱処理工程の温度上昇や外部環境による圧接型半導体装置の発熱で最終的に密閉された絶縁筒２３内の温度が上昇しても、ガスの発生による半導体基体１の劣化を防止することができる。これにより、高信頼性の圧接型半導体装置を得ることができる。しかも、シリコーンゴムは安価である。このため、密閉体２５を安価に製作することができる。
【００６３】
また、密閉体２５の外部カソード電極体１９側は、外部カソード電極２０の溝２７に嵌め込まれている。このため、密閉体２５が外部カソード電極体１９から鉛直方向及び水平方向にずれることを防止できる。このため、圧接前において、カソード歪緩衝板２２と半導体基体１との間に形成された空間２４を絶縁筒２３内側において確実に密閉することができる。また、密閉体２５特有の弾性変形を利用して、簡単に外部カソード電極２０の溝２７に嵌め込むことができる。
【００６４】
なお、通常の圧接型半導体装置においては、外部カソード電極体１９は、外部カソード電極２０とカソード歪緩衝板２２とを備える。そして、カソード歪緩衝板２２が外部ゲート電極１２を支持する。この外部ゲート電極１２は、弾性体１８によってゲート電極３に押し付けられる。そして、外部カソード電極２０は、カソード電極４とは反対方向の荷重を弾性体１８から受けている。さらに、圧接前においては、カソード歪緩衝板２２と半導体基体１との間に空間２４が形成される。すなわち、通常の圧接型半導体装置においては、密閉体２５は、カソード歪緩衝板２２と半導体基体１との間に形成された空間２４に異物が混入することを防止できる。
【００６５】
また、実施の形態１においては、圧接型半導体装置の一例としてＧＴＯサイリスタを示した。しかしながら、密閉体２５を利用する圧接型半導体装置は、ＧＴＯサイリスタに限定されない。例えば、ＧＣＴ（Ｇａｔｅ  Ｃｏｍｍｕｔａｔｅｄ  Ｔｕｒｎ−ｏｆｆ）サイリスタに密閉体２５を利用しても、外部カソード電極体１９と半導体基体１との間に形成された空間２４に、絶縁筒２３内周面側の異物が混入することを防止しつつ、コーティング体５の剥がれを防止することができる。
【００６６】
また、実施の形態１においては、密閉体２５のコーティング体５側端部は、コーティング体５の外周面よりも半導体基体１の中心側でコーティング体５の外部カソード電極２０側面に接触していた。しかしながら、コーティング体５の外周面を包みこむように密閉体２５のコーティング体５側端部を配置してもよい。この場合、密閉体２５のコーティング体５側端部は、弾性変形の復元力により、コーティング体５の外周面に密着していればよい。そして、圧接後の密閉体２５の弾性変形の復元力によってコーティング体５にかかる荷重を、コーティング体５を半導体基体１から剥がすのに要する荷重以下となるように設定すればよい。このような構成にすれば、コーティング体５が半導体基体１から剥がれることを防止できる。
【００６７】
また、実施の形態１においては、密閉体２５は、外部カソード電極体１９と半導体基体１との間に形成された空間２４を密閉していた。しかしながら、密閉体２５で密閉する空間は、外部カソード電極体１９と半導体基体１との間に形成された空間２４に限定されない。すなわち、半導体基体１の圧接電極とこれに接触させるための外部圧接電極体との間に形成された空間を密閉体２５によって密閉してもよい。これにより、外部圧接電極体と半導体基体１との間に形成された空間に異物が混入することを防止しつつ、コーティング体５の剥がれを防止することができる。
【００６８】
また、実施の形態１においては、密閉体２５は、コーティング体５とともに、シリコーンゴムで形成されていた。しかしながら、密閉体２５やコーティング体５の材質は、シリコーンゴムに限定されない。すなわち、熱処理工程の温度上昇や外部環境による圧接型半導体装置の発熱等を考慮して、密閉体２５やコーティング体５の材質を選定すればよい。
【００６９】
また、実施の形態１においては、密閉体２５の外部カソード電極体１９側は、外部カソード電極２０の溝２７に嵌め込まれていた。しかしながら、必ずしも、密閉体２５の外部カソード電極体１９側を外部カソード電極２０の溝２７に嵌め込む必要はない。例えば、密閉体２５の外部カソード電極２０側端部を弾性変形させて、密閉体２５と外部カソード電極２０の外周面との密着力を高めてもよい。
【符号の説明】
【００７０】
１  半導体基体
２  アノード電極
３  ゲート電極
４  カソード電極
５  コーティング体
６  外部アノード電極体
７  外部アノード電極
８  フランジ
９  ピン
１０  アノード歪緩衝板
１１  外部ゲート電極体
１２  外部ゲート電極
１３  ゲートリード線
１４  ゲートスリーブ
１５  ゲートパイプ
１６  支持管
１７  マイカワッシャ
１８  弾性体
１９  外部カソード電極体
２０  外部カソード電極
２１  フランジ
２２  カソード歪緩衝板
２３  絶縁筒
２４  空間
２５  密閉体
２６  貫通穴
２７  溝
２８  ガイドリング
【図１】
2011233704.tif 000003
【図２】
2011233704.tif 000004
【図３】
2011233704.tif 000005
【図４】
2011233704.tif 000006
【図５】
2011233704.tif 000007
【図６】
2011233704.tif 000008